(57)【特許請求の範囲】
【請求項１】
カードに所定の内容を印刷及び消去可能なリライトカード処理装置であって、
カードの挿入及び排出を行う挿入部と、
前記カードに所定の情報を記録又は書き込み可能な通信部と、
前記カードを加熱することによってカード面の印刷を行う印字部と、
前記カードを加熱することによってカード面の印刷内容を消去する消去部と、
前記カードに印刷を行う際の位置の基準となる印字位置基準センサと、
からなり、前記挿入部から順に前記通信部、前記印字部、前記印字位置基準センサ、前記消去部の順に配置され、前記印字部は挿入口方向にカードを排出しながら印刷するものであって、前記印字位置基準センサをカードが通過後、一定の距離を搬送し、前記印字部をカードが搬送されながら印刷することを特徴とするリライトカード処理装置。
【請求項２】
カードに所定の内容を印刷及び消去可能なリライトカード処理装置であって、
カードの挿入及び排出を行う挿入部と、
前記カードに所定の情報を記録又は書き込み可能な通信部と、
前記カードを加熱することによってカード面の印刷を行う印字部と、
前記カードを加熱することによってカード面の印刷内容を消去する消去部と、
前記カードに印刷を行う際の位置の基準となる印字位置基準センサと、
新規発行するカードを蓄えるスタッカ部と
からなり、前記挿入部から順に前記印字部、前記印字位置基準センサ、前記消去部、前記通信部の順に配置され、前記スタッカ部から取り出された新規発行カードは前記通信部にて情報の記録又は書き込みが行われた後、挿入口方向にカードを排出しながら印刷するものであって、前記印字位置基準センサをカードが通過後、一定の距離を搬送し、前記印字部をカードが搬送されながら前記印字部にて印刷することを特徴とするリライトカード処理装置。
【発明の詳細な説明】
【技術分野】
【０００１】
本発明は、リライトカード処理装置に係り、特に鉄道やバス等の交通機関において定期券や乗車券として利用される磁気やＩＣチップ内蔵等のリライトカードの処理装置に関するものである。
【背景技術】
【０００２】
リライトカード処理装置とは、現在流通している定期券等のカードに対しカードの運用が変更になった場合に、カード表面に印刷されている内容、及び運用情報の磁気データまたはＩＣチップ内の内容を消去した後、カード表面の印刷内容を更新し、かつデータの再記録処理を行う装置である。
【０００３】
リライトカード処理装置の主な機能は、カード表面の印刷内容を消去する消去機能、及びカード表面に印刷する印刷機能がある。消去機能は発熱抵抗体と発熱抵抗体温度検知サーミスタからなる消去ヘッドを有し、カード表面に一定の温度（１３０℃程度）を加えると、元々印刷してある文字等を消すことができる。また印刷機能は複数の発熱素子からなる印刷ヘッドを有し、カードの表面にドット毎に一定の温度（１８０℃程度）を加えると、書き換えたい文字等を印刷することができる。
【０００４】
尚、カードの表面印刷の消去、及び印字はカードを搬送することにより行い、装置の搬送路上に配置している消去ヘッドは両方向からのカードの搬送に対しても、消去可能であり、印字ヘッドは印字ヘッドの配置する向きにより、どちらか片側からの搬送に対して印字可能である。また、消去時の最大搬送速度は印字時の最大搬送速度よりも遅い為、各々処理する際は、搬送速度を変更する必要がある。例えば、搬送路上に基準となる位置を設け、その位置にて搬送速度の変更等を行うことによっても実施できる。
【０００５】
上記の通り、リライトカード処理装置は、カード表面の印刷を何度も書き換えることが可能な装置であるが、定期券の継続等よるカードの処理の順番をカード表面印刷の消去及び印字後、カードの書き換え処理とした場合、データの書き換え処理が正常に終了せず、表面印刷の書き換え処理のみ正常に終了した際、使用者は全ての処理が正常に処理されたカードと、表面印刷のみが正常処理されたカードと区別が難しい。
【０００６】
このため、正常に定期券等の継続処理が完了したと誤認する可能性があり、主な装置使用者である駅員等は定期券使用者に渡すおそれがある為、まずデータの書き換え処理を行い正常終了したことを確認後、カード表面印刷の消去及び、印字を行う必要がある。従来、この種の装置としては特許文献１（特開２００４−１９５８０９）に記載のものがある。
【０００７】
【特許文献１】特開２００４−１９５８０９号公報
【発明の開示】
【発明が解決しようとする課題】
【０００８】
装置のカード挿入口（カードの排出口も兼用する）から見て、搬送路上に通信部、消去ヘッド、及び排出方向へ印字可能な印字ヘッド（挿入口方向に排出させながら印字する）の配置の場合、定期券等によるカードの更新処理を行う際、挿入口からカードを挿入し、通信部によりデータの書き換え、及びカード表面の印刷を消去後、印字を行う為に、まずカードを印字ヘッドよりも奥へ搬送し、印字基準位置を正確に合わせる為の基準となる場所まで搬送しなければならない。そのため、その搬送分だけ、搬送路の必要距離が長くなる問題がある。
【０００９】
また、上記構成において、印字基準位置を印字ヘッドと消去ヘッドの間に配置し、印字ヘッドを挿入方向に印字可能な構成（挿入口から挿入方向に搬送しながら印字する構成）とした場合で、カードの表面印刷の消去処理終了後、カードが基準位置を横切っている場合は、カードを基準位置の手前まで後退させてから、カードを搬送し、印字処理を行う必要がある為、カードの搬送路上での往復動作が多くなり、処理時間がその分だけ長くなる問題がある。ここで印字開始位置の基準とはセンサ等からなり、カードが搬送路上で基準位置を通過して一定の距離を搬送後、印字を開始するというものである。
【課題を解決するための手段】
【００１０】
挿入口から見て、通信部、印字ヘッド、消去ヘッドの順で搬送路上に配置し、印字ヘッドは挿入口方向に排出させながら印字させる構成を採用する。これにより、使用者が装置の挿入口から挿入したカードをまず通信部にて、データの書き換え処理を行い、終了後、消去ヘッド部にて表面印刷の文字を消去し、消去が終了した場所でカードの搬送方向を逆にし、挿入口方向へと搬送し、印字開始基準を印字ヘッドと消去ヘッドの間に配置することにより、基準位置をカードが通過後、一定距離を搬送し、印字ヘッド部にて、カード表面への印刷を行う。
【００１１】
また、カードの更新処理よりカードの新規発券を優先する場合、挿入口から見て印字ヘッド、消去ヘッド、通信部の順に搬送路上に配置し、新規発券されたカードは、新規発券用のカード搬送路を通り、通信部にてデータの書き込み処理を行い、印字ヘッドにて、カードの表面印字を行い、挿入口から排出する。
【００１２】
さらに、カード表面印刷の消去、及び印字処理の際のカード搬送速度を一定にすることにより、各々の処理の前に搬送速度を変更する為に、一時停止することなくカード表面印刷の消去、印字処理を行う。
【発明の効果】
【００１３】
本発明は装置の挿入口から見て、通信部、印字ヘッド、消去ヘッドの順で搬送路上に配置することにより、例えば、挿入口から見て、通信部、消去ヘッド、印字ヘッドの配置の場合において、通信及び、カード表面の消去終了後、印字を印字開始基準位置まで搬送する為に、搬送路を長くする必要がなくなる為、装置の省スペース化を図ることができる。また搬送路上の動作において、カードの余分な往復動作が無くなり、処理時間の短縮が可能となる。
【００１４】
また、使用者の要求等により、定期券等の新規発行が更新処理よりも優先する場合、装置構成を挿入口から見て印字ヘッド、消去ヘッド、通信部の順に搬送路上に配置することにより、搬送路上でのカードの往復動作が無くなり、処理時間の短縮が可能となる。
【００１５】
また、カード表面印刷の消去処理、印字処理の際の、カード搬送速度を一定にすることにより、搬送速度を変更する為に、各動作の前に一時停止する動作が必要なく、連続して消去、印字動作を行う為、処理時間の短縮が可能となる。
【発明を実施するための最良の形態】
【００１６】
以下、図面を参照して本発明の各実施形態を説明する。
【実施例１】
【００１７】
図１は一実施例によるリライトカード処理装置の内部構成図を示す。リライトカード処理装置１は、カード挿入口２、カード搬送路３、主制御部４、印字ヘッド５、消去ヘッド６、通信部７、印字位置基準センサ８から構成される。カード挿入口２はカードの挿入および排出を行うものであり、カードが挿入されたことを検知する機能をも有する。カード搬送路３は、主駆動モータからギヤ及びベルト伝達にて搬送用のゴムローラを回転させ、カードを搬送する。主駆動モータは例えばパルスモータとし、主制御部４から送信されるパルス周期によって、搬送速度を変化させることができる。
【００１８】
主制御部４はリライトカード処理装置全体の制御を行う。印字ヘッド５は複数の発熱素子からなる印刷ヘッドを有し、カードの表面にドット毎に一定の温度（１８０℃程度）を加えて、書き換えたい文字等を印刷する。消去ヘッド６は、発熱抵抗体と発熱抵抗体温度検知サーミスタから構成され、発熱抵抗体温度検知サーミスタは検知した温度を電圧に変換し、主制御部４に送信する。サーミスタが検知した温度情報を基に、発熱抵抗体に流す電流を変化させ、抵抗体の発熱量を制御する。
【００１９】
通信部７はカード内の磁気データまたはＩＣチップにデータの書き換え作業を行う。印字位置基準センサ８は、カードの表面印字を行う際の基準となるセンサであり、カードがこの基準位置を通過して、一定の距離を搬送後、印字処理を開始する。
【００２０】
次に図３を参照してカードの更新処理を行う際の一実施例の制御を説明する。まずカード挿入口２からカード９を取り込み（Ｓ３０１）、カード９を通信部７までカード搬送路３を通して搬送する。通信部７にてカード９の磁気及びＩＣチップに書き込まれているデータの書き換え処理を行う（Ｓ３０２）。
【００２１】
次に、消去ヘッド６までカードを搬送し、消去用の搬送速度を変更し、カードが消去ヘッド上を通過することにより、カード表面に印刷されている文字を消去する（Ｓ３０３）。カード９の表面印刷の消去が終了すると、今まで挿入方向に搬送していたカード搬送の向きを、逆向きの排出方向にし、カードを印字ヘッド５まで搬送する。
【００２２】
ここで、印字用の搬送速度に変更し、印字位置基準センサ８を通過後、一定の距離を搬送し、印字ヘッド５上にカード９が搬送することにより、カード表面に印字を行う（Ｓ３０４）。なお、印字用の搬送速度への変更は、印字位置基準センサ８を通過後に行ってもよいし、消去終了後、逆向きに（排出方向に）搬送を開始する時点で最初から変更してもよい。カードの表面印刷終了後、カード挿入口２よりカードを排出する（Ｓ３０５）。
【実施例２】
【００２３】
次に、新規カードの発券機構をさらに有するリトライカード処理装置を図２を用いて説明する。カード搬送路上の通信部７、印字ヘッド５、消去ヘッド６の配置が図１と異なっており、カード挿入口２から見て、印字ヘッド５、消去ヘッド６、通信部７の順にカード搬送路３上に構成される。
【００２４】
また、印字位置基準センサ８は、印字ヘッド５と消去ヘッド６の間に配置する。新規発券用のカード１２を収納するスタッカ１０、スタッカ１０からカード搬送路３まで搬送する為の、新規発券用搬送路１１から構成される。
【００２５】
図４を参照して、図２の新規カード発券を優先する場合のリトライカード処理装置の新規発券する際の一実施例の制御を説明する。まずスタッカ１０から新規カード１２が新規発券用搬送路１１上に搬送される。次にカードを新規発券用搬送路か１１らカード搬送路３に搬送する。
【００２６】
カード搬送路３まで搬送したカードを通信部７まで搬送し、カードのＩＣチップまたは磁気等へのデータの書き込みを行う。新規カード１２は表面印刷がない為、表面印刷の消去処理は不要であり、カードを印字位置基準センサ８手前まで搬送し、印字用の搬送速度に変更し、印字ヘッド５まで搬送する。印字ヘッド５まで搬送されたカードは印字ヘッド５上を通過することにより、カード表面に印字され、印字されたカードはカード挿入口２から排出される。
【実施例３】
【００２７】
次に、カードの表面印刷の消去と印字の際の消去温度及び印字温度と搬送速度の最適化を行い、カードの搬送速度を一定にした時の一実施例を説明する。
【００２８】
装置の構成は、上述の図２と同様であり、カード挿入口２から見て、カード搬送路３上に印字ヘッド５、消去ヘッド６、通信部７の順に配置する。カードの更新等により、カード挿入口２からカードを挿入した場合は、通信部７へカードを搬送し、通信部７にてカードのデータ書き換え処理を行う。
【００２９】
次に、カードの表面印刷の消去及び印刷を行うが、このとき上記で説明した実施例では、消去処理や印字処理においてそれぞれに最適な搬送速度に変更する為、各動作毎に停止処理を行うが、消去処理及び印字処理の際の搬送速度を一定にすることにより、通信部にて処理が終了したカードは停止することなく、消去と印字動作を連続して行い、そのままカード挿入口２からカードを排出する。
【００３０】
またカードの新規発券時はスタッカ１０より新規カード１２を新規発券用搬送路１１に排出し、続いてカード搬送路３上にカードを搬送する。カード搬送路３上に搬送されたカードは通信部７にて、データの書き込みを行い、書き込み終了後、印字ヘッド５まで搬送し、カード表面の印字動作を行い、カード挿入口２よりカードを排出する。これにより、カードの新規発券時に対しても、余分な往復動作が発生しない。
【図面の簡単な説明】
【００３１】
【図１】本発明の実施例を説明する装置側面図である。
【図２】本発明の他の実施例を説明する装置側面図である。
【図３】本発明の実施例を説明するフローチャートである。
【図４】本発明の他の実施例を説明するフローチャートである。
【符号の説明】
【００３２】
１・・・リライトカード処理装置、２・・・カード挿入口、３・・・カード搬送路、４・・・主制御部、５・・・印字ヘッド、６・・・消去ヘッド、７・・・通信部、８・・・印字位置基準センサ、９・・・リライトカード、１０・・・スタッカ、１１・・・新規発券用搬送路、１２・・・新規リライトカード
【図１】
0004718306.tif 000002
【図２】
0004718306.tif 000003
【図３】
0004718306.tif 000004
【図４】
0004718306.tif 000005